【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
方法であって、 
Ｅメール（電子メール）クライアントアプリケーションプログラムを介して、組織の内部のＥメールアドレスドメインから、多数の意図した受信者に送られるべきＥメールメッセージを構成するステップであって、該Ｅメールメッセージは意図した受信者と関連するＥメールメッセージの複数のＥメールアドレスを識別するヘッダーを有し、該Ｅメールアドレスは組織の内部の意図した受信者と関連する少なくとも１つのＥメールアドレス、及び組織の外部の意図した受信者と関連する少なくとも１つのＥメールアドレスを含む、ステップと、
前記Ｅメールクライアントアプリケーションプログラムによって、前記Ｅメールメッセージの意図した受信者と関連するＥメールアドレスをＥメールサーバに送信するステップと、
前記Ｅメールクライアントアプリケーションプログラムによって、複数の異なるＥメールゾーンを識別するゾーン分類情報をＥメールサーバから受信するステップであって、前記Ｅメールメッセージは、前記Ｅメールメッセージの意図した受信者と関連するＥメールアドレスのＥメールアドレスドメインに基づいて該Ｅメールゾーンに分類されており、該複数の異なるＥメールゾーンは、
組織の内部の意図した受信者に対するイントラ組織ゾーンと、および
組織の外部の意図した受信者に対する信頼できるパートナーゾーン、一般的なインターネットゾーン、又は制限ゾーンのうち１つとを含む、ステップと、
前記Ｅメールクライアントアプリケーションプログラムによって、前記Ｅメールメッセージのヘッダー内の複数の異なるＥメールゾーンの印を視覚的に表示するステップと、
前記Ｅメールクライアントアプリケーションプログラムによって、前記Ｅメールメッセージが前記多数の意図した受信者に多数の別のＥメールメッセージとして送られるよう処理するステップであって、各々別のＥメールメッセージは前記多数の意図した受信者のうち一つに向けられている、ステップと、
Ｅメールクライアントアプリケーションプログラムのポリシーエンジンによって、コンピュータのメモリに格納されたポリシー情報にアクセスするステップと、
前記ポリシーエンジンによって、前記ゾーン分類情報に基づいて組織の外部の意図した受信者に向けられた別のＥメールメッセージ上で実行されるべきポリシー情報によって特定されたポリシー動作を判別するステップと、
前記ポリシーエンジンによって、前記組織の外部の意図した受信者に向けられた別のＥメールメッセージ上でポリシー動作を実行するステップと、及び
前記Ｅメールクライアントアプリケーションプログラムによって、ポリシー動作を適用すること無く組織の内部の意図した受信者に向けられた別のＥメールメッセージをＥメールサーバへ送信するステップと、
を含むことを特徴とする、方法。
【請求項２】
前記印は、Ｅメールメッセージが分類されている前記複数の異なるＥメールゾーンのうちそれぞれ１つと関連付けられたアイコンを含むことを特徴とする請求項１記載の方法。
【請求項３】
前記印は、前記複数の異なるＥメールゾーンのうちのそれぞれ１つに前記Ｅメールメッセージが分類されている前記それぞれ１つのＥメールゾーンを特定するテキストラベルを含むことを特徴とする請求項１記載の方法。
【請求項４】
前記ポリシー動作は、秘密情報に関し、前記組織の外部の意図した受信者に向けられた別のＥメールメッセージの内容をスキャニングすることを含む、請求項１記載の方法。
【請求項５】
前記多数の意図した受信者に送信されるべきＥメールメッセージは少なくとも１つの添付ファイルを含み、
前記ポリシー動作は、Ｅメールクライアントアプリケーションプログラムのユーザに、添付ファイルが前記組織の外部の意図した受信者に送信されるべきことを検証するよう指示することを含む、請求項１記載の方法。
【請求項６】
前記ポリシー動作は、前記複数の異なるＥメールゾーンが前記組織の外部の意図した受信者に関する制限ゾーンを含むとき、前記組織の外部の意図した受信者に向けられた別のＥメールメッセージをブロックすることを含む、請求項１記載の方法。
【請求項７】
コンピュータ実行可能な命令を格納するコンピュータ読み取り可能記憶デバイスであって、コンピュータデバイスにより実行されたとき、コンピュータデバイスに
Ｅメール（電子メール）クライアントアプリケーションプログラムを介して、組織の内部のＥメールアドレスドメインから、多数の意図した受信者に送られるべきＥメールメッセージを構成するステップであって、該Ｅメールメッセージは意図した受信者と関連するＥメールメッセージの複数のＥメールアドレスを識別するヘッダーを有し、該Ｅメールアドレスは組織の内部の意図した受信者と関連する少なくとも１つのＥメールアドレス、及び組織の外部の意図した受信者と関連する少なくとも１つのＥメールアドレスを含む、ステップと、
前記Ｅメールクライアントアプリケーションプログラムによって、前記Ｅメールメッセージの意図した受信者と関連するＥメールアドレスをＥメールサーバに送信するステップと、
前記Ｅメールクライアントアプリケーションプログラムによって、複数の異なるＥメールゾーンを識別するゾーン分類情報をＥメールサーバから受信するステップであって、前記Ｅメールメッセージは、前記Ｅメールメッセージの意図した受信者と関連するＥメールアドレスのＥメールアドレスドメインに基づいて該Ｅメールゾーンに分類されており、該複数の異なるＥメールゾーンは、
組織の内部の意図した受信者に対するイントラ組織ゾーンと、および
組織の外部の意図した受信者に対する信頼できるパートナーゾーン、一般的なインターネットゾーン、又は制限ゾーンのうち１つとを含む、ステップと、
前記Ｅメールクライアントアプリケーションプログラムによって、前記Ｅメールメッセージのヘッダー内の複数の異なるＥメールゾーンの印を視覚的に表示するステップと、
前記Ｅメールクライアントアプリケーションプログラムによって、前記Ｅメールメッセージを多数の意図した受信者に多数の別のＥメールメッセージとして送られるよう処理するステップであって、各々別のＥメールメッセージは前記多数の意図した受信者のうち一つに向けられている、ステップと、
Ｅメールクライアントアプリケーションプログラムのポリシーエンジンによって、コンピュータデバイスのメモリに格納されたポリシー情報にアクセスするステップと、
前記ポリシーエンジンによって、ゾーン分類情報に基づいて組織の外部の意図した受信者に向けられた別のＥメールメッセージ上で実行されるべきポリシー情報によって特定されたポリシー動作を判別するステップと、
前記ポリシーエンジンによって、前記組織の外部の意図した受信者に向けられた別のＥメールメッセージ上でポリシー動作を実行するステップと、及び
前記Ｅメールクライアントアプリケーションプログラムによって、ポリシー動作を適用すること無く組織の内部の意図した受信者に向けられた別のＥメールメッセージをＥメールサーバへ送信するステップと、
を含む方法を実行させる命令を格納する、コンピュータ読み取り可能記憶デバイス。
【請求項８】
前記ポリシー動作は、秘密情報に関し、前記組織の外部の意図した受信者に向けられた別のＥメールメッセージの内容をスキャニングすることを含む、請求項７記載のコンピュータ読み取り可能記憶デバイス。
【請求項９】
前記多数の意図した受信者に送信されるべきＥメールメッセージは少なくとも１つの添付ファイルを含み、
前記ポリシー動作は、Ｅメールクライアントアプリケーションプログラムのユーザに、添付ファイルが前記組織の外部の意図した受信者に送信されるべきことを検証するよう指示することを含む、請求項７記載のコンピュータ読み取り可能記憶デバイス。
【請求項１０】
前記ポリシー情報は、コンピュータデバイスのユーザにより設定可能である、請求項７記載のコンピュータ読み取り可能記憶デバイス。
【請求項１１】
前記印は、Ｅメールメッセージが分類されている前記複数の異なるＥメールゾーンのうちのそれぞれ１つと関連づけられたアイコンを含むことを特徴とする請求項７記載の方法。
【請求項１２】
前記印は、前記複数の異なるＥメールゾーンのうちのそれぞれ１つに前記Ｅメールメッセージが分類されている前記それぞれ１つのＥメールゾーンを特定するテキストラベルを含むことを特徴とする請求項７記載の方法。
【請求項１３】
前記ポリシー動作は、前記複数の異なるＥメールゾーンが組織の外部の意図した受信者に関する制限ゾーンを含むとき、組織の外部の意図した受信者に向けられた別のＥメールメッセージをブロックすることを含む、請求項１記載の方法。
【請求項１４】
コンピュータシステムであって、
コンピュータ実行可能な命令を実行するよう構成されたプロセッサと、
プロセッサ実行可能な命令を格納するメモリとを備え、該メモリは、Ｅメール（電子メール）クライアントアプリケーションプログラムに対して、
組織の内部のＥメールアドレスドメインから、多数の意図した受信者に送られるべきＥメールメッセージを構成するためのユーザ入力を受信することであって、該Ｅメールメッセージは意図した受信者と関連するＥメールメッセージの複数のＥメールアドレスを識別するヘッダーを有し、該Ｅメールアドレスは組織の内部の意図した受信者と関連する少なくとも１つのＥメールアドレス、及び組織の外部の意図した受信者と関連する少なくとも１つのＥメールアドレスを含む、ユーザ入力を受信すること、
意図した受信者と関連するＥメールをＥメールサーバに送信すること、
複数の異なるＥメールゾーンを識別するゾーン分類情報をＥメールサーバから受信することであって、Ｅメールメッセージは、前記Ｅメールメッセージの意図した受信者と関連するＥメールアドレスのＥメールアドレスドメインに基づいて該Ｅメールゾーンに分類されており、該複数の異なるＥメールゾーンは、
組織の内部の意図した受信者に対するイントラ組織ゾーンと、および
組織の外部の意図した受信者に対する信頼できるパートナーゾーン、一般的なインターネットゾーン、又は制限ゾーンのうち１つとを含む、ゾーン分類情報をＥメールサーバから受信すること、
Ｅメールメッセージのヘッダー内の複数の異なるＥメールゾーンの印を視覚的に表示すること、
Ｅメールメッセージを多数の意図した受信者に多数の別のＥメールメッセージとして送られるよう処理することであって、各々別のＥメールメッセージは前記多数の意図した受信者のうち一つに向けられている、Ｅメールメッセージを処理すること、
Ｅメールクライアントアプリケーションプログラムのポリシーエンジンによって、メモリに格納されたポリシー情報にアクセスすること、
前記ポリシーエンジンによって、ゾーン分類情報に基づいて組織の外部の意図した受信者に向けられた別のＥメールメッセージ上で実行されるべきポリシー情報によって特定されたポリシー動作を判別すること、
前記ポリシーエンジンによって、前記組織の外部の意図した受信者に向けられた別のＥメールメッセージ上でポリシー動作を実行すること、及び
ポリシー動作を適用すること無く組織の内部の意図した受信者に向けられた別のＥメールメッセージをＥメールサーバへ送信すること、
を実行させるプロセッサ実行可能な命令を格納することを特徴とする、コンピュータシステム。
【請求項１５】
前記ポリシー動作は、複数の異なるＥメールゾーンが組織の外部の意図した受信者に関する制限ゾーンを含むとき、前記組織の外部の意図した受信者に向けられた別のＥメールメッセージをブロックすることを含む、請求項１４記載のコンピュータシステム。
【請求項１６】
前記印は、Ｅメールメッセージが分類されている複数の異なるＥメールゾーンのうちのそれぞれ１つと関連付けられたアイコンを含むことを特徴とする請求項１４記載のコンピュータシステム。
【請求項１７】
前記ポリシー動作は、秘密情報に関し、前記組織の外部の意図した受信者に向けられた前記別のＥメールメッセージの内容をスキャニングすることを含む、請求項１４記載のコンピュータシステム。
【請求項１８】
前記多数の意図した受信者に送信されるべきＥメールメッセージは少なくとも１つの添付ファイルを含み、
前記ポリシー動作は、Ｅメールクライアントアプリケーションプログラムのユーザに、添付ファイルが組織の外部の意図した受信者に送信されるべきことを検証するよう指示することを含む、請求項１４記載のコンピュータシステム。
【請求項１９】
前記印は、前記複数の異なるＥメールゾーンのうちのそれぞれ１つに前記Ｅメールメッセージが分類されている前記それぞれ１つのＥメールゾーンを特定するテキストラベルを含むことを特徴とする請求項１４記載のコンピュータシステム。
【請求項２０】
請求項１４記載のコンピュータシステムであって、前記メモリは更にプロセッサ実行可能な命令を格納し、該メモリはＥメールクライアントアプリケーションプログラムに対して、
ポリシー動作が適用されている前記組織の外部の意図した受信者に向けられた別のＥメールメッセージをＥメールサーバに送信すること、
を実行させるプロセッサ実行可能な命令を格納することを特徴とする、コンピュータシステム。